(57)【特許請求の範囲】
【請求項１】
複数の基地局のそれぞれとの無線通信によりネットワークと接続する携帯端末であって、
各基地局から継続的に送信される特定信号を受信する受信部と、
前記受信された特定信号の電波品質又は電界強度を示す品質値を測定する測定部と、
前記受信された特定信号を送信している基地局の中で最も高い品質値の特定信号を送信している第１の基地局との無線通信を確立する通信制御部と、
前記通信制御部が無線通信を過去に確立した基地局の履歴を記憶する記憶部と、
前記第１の基地局から受信した特定信号の品質値に第１オフセット値を加算した第１品質補正値よりも高い品質値の特定信号を送信している第２の基地局を検出する制御部と、を有し、
前記制御部は、
前記第２の基地局が、前記記憶部に記憶された、前記第１の基地局の直前に無線通信を確立していた基地局でない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局が、前記記憶部に記憶された、前記第１の基地局の直前に無線通信を確立していた基地局である場合、
前記携帯端末が特定のモードでなければ、前記第２の基地局からの前記特定信号の品質値に第２オフセット値を減算した第２品質補正値が前記第１品質補正値より高い期間が、前記継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを特徴とする携帯端末。
【請求項２】
前記制御部は、前記第２の基地局が前記第１の基地局の直前に無線通信を確立していた基地局であると判定された場合における基地局の切り替え回数に基づいて前記第２オフセット値を変更する、請求項１に記載の携帯端末。
【請求項３】
前記携帯端末の現在位置を測定する位置測定部を更に有し、
前記制御部は、
前記測定された現在位置に基づいて前記携帯端末が移動していると判定した場合、所定期間中、前記携帯端末を特定のモードに設定し、
前記携帯端末が特定のモードである場合、前記第２の基地局が前記第１の基地局の直前に無線通信を確立していた基地局であると判定された場合でも、前記第２の基地局からの特定信号の品質値が前記第１品質補正値より高い期間が、所定の継続期間を超えたときに、前記第１の基地局との無線通信から前記第２の基地局との無線通信に切り替えるように前記通信制御部を制御する、請求項１又は２に記載の携帯端末。
【請求項４】
複数の基地局のそれぞれとの無線通信によりネットワークと接続する携帯端末であって、
各基地局から継続的に送信される特定信号を受信する受信部と、
前記受信された特定信号の電波品質又は電界強度を示す品質値を測定する測定部と、
前記受信された特定信号を送信している基地局の中で最も高い品質値の特定信号を送信している第１の基地局との無線通信を確立する通信制御部と、
前記通信制御部が無線通信を過去に確立した基地局の履歴を記憶する記憶部と、
前記第１の基地局から受信した特定信号の品質値に第１オフセット値を加算した第１品質補正値よりも高い品質値の特定信号を送信している第２の基地局を検出する制御部と、を有し、
前記制御部は、
前記第２の基地局が、前記記憶部に記憶された、前記第１の基地局の直前に無線通信を確立していた基地局でない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局が、前記記憶部に記憶された、前記第１の基地局の直前に無線通信を確立していた基地局である場合、
前記携帯端末が特定のモードでなければ、前記第２の基地局からの前記特定信号の品質値が前記第１品質補正値より高い期間が、前記継続期間にオフセット期間を加算した第２継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを特徴とする携帯端末。
【請求項５】
前記制御部は、前記第２の基地局が前記第１の基地局の直前に無線通信を確立していた基地局であると判定された場合における基地局の切り替え回数に基づいて前記オフセット期間を変更する、請求項４に記載の携帯端末。
【請求項６】
前記携帯端末の現在位置を測定する位置測定部を更に有し、
前記制御部は、
前記測定された現在位置に基づいて前記携帯端末が移動していると判定した場合、所定期間中、前記携帯端末を特定のモードに設定し、
前記携帯端末が特定のモードである場合、前記第２の基地局が前記第１の基地局の直前に無線通信を確立していた基地局であると判定された場合でも、前記第２の基地局からの特定信号の品質値が前記第１品質補正値より高い期間が、所定の継続期間を超えたときに、前記第１の基地局との無線通信から前記第２の基地局との無線通信に切り替えるように前記通信制御部を制御する、請求項４又は５に記載の携帯端末。
【請求項７】
複数の基地局のそれぞれとの無線通信によりネットワークと接続する携帯端末であって、
各基地局から継続的に送信される特定信号を受信する受信部と、
前記受信された特定信号の電波品質又は電界強度を示す品質値を測定する測定部と、
前記受信された特定信号を送信している基地局の中で最も高い品質値の特定信号を送信している第１の基地局との無線通信を確立する通信制御部と、
前記通信制御部が無線通信を過去に確立した基地局に関連付けられた位置登録エリアの履歴を記憶する記憶部と、
前記第１の基地局から受信した特定信号の品質値に第１オフセット値を加算した第１品質補正値よりも高い品質値の特定信号を送信している第２の基地局を検出する制御部と、を有し、
前記制御部は、
前記第２の基地局に関連付けられた位置登録エリアが、前記記憶部に記憶された、前記第１の基地局の直前に無線通信を確立していた基地局に関連付けられた位置登録エリアでない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局に関連付けられた位置登録エリアが、前記記憶部に記憶された、前記第１の基地局の直前に無線通信を確立していた基地局に関連付けられた位置登録エリアである場合、
前記携帯端末が特定のモードでなければ、前記第２の基地局からの前記特定信号の品質値に第２オフセット値を減算した第２品質補正値が前記第１品質補正値より高い期間が、前記継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを特徴とする携帯端末。
【請求項８】
複数の基地局のそれぞれとの無線通信によりネットワークと接続する携帯端末であって、
各基地局から継続的に送信される特定信号を受信する受信部と、
前記受信された特定信号の電波品質又は電界強度を示す品質値を測定する測定部と、
前記受信された特定信号を送信している基地局の中で最も高い品質値の特定信号を送信している第１の基地局との無線通信を確立する通信制御部と、
前記通信制御部が無線通信を過去に確立した基地局に関連付けられた位置登録エリアの履歴を記憶する記憶部と、
前記第１の基地局から受信した特定信号の品質値に第１オフセット値を加算した第１品質補正値よりも高い品質値の特定信号を送信している第２の基地局を検出する制御部と、を有し、
前記制御部は、
前記第２の基地局に関連付けられた位置登録エリアが、前記記憶部に記憶された、前記第１の基地局の直前に無線通信を確立していた基地局に関連付けられた位置登録エリアでない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局に関連付けられた位置登録エリアが、前記記憶部に記憶された、前記第１の基地局の直前に無線通信を確立していた基地局に関連付けられた位置登録エリアである場合、
前記携帯端末が特定のモードでなければ、前記第２の基地局からの前記特定信号の品質値が前記第１品質補正値より高い期間が、前記継続期間にオフセット期間を加算した第２継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを特徴とする携帯端末。
【請求項９】
複数の基地局のそれぞれから継続的に送信される特定信号を受信する受信部と、前記受信された特定信号の電波品質又は電界強度を示す品質値を測定する測定部と、前記受信された特定信号を送信している基地局の中で最も高い品質値の特定信号を送信している第１の基地局との無線通信を確立する通信制御部と、前記通信制御部が無線通信を過去に確立した基地局の履歴を記憶する記憶部と、前記第１の基地局から受信した特定信号の品質値に第１オフセット値を加算した第１品質補正値よりも高い品質値の特定信号を送信している第２の基地局を検出する制御部とを有し、前記基地局との無線通信を介してネットワークと接続する携帯端末の制御方法であって、前記制御部が、
前記第２の基地局が、前記記憶部に記憶された、前記第１の基地局の直前に無線通信を確立していた基地局でない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局が、前記記憶部に記憶された、前記第１の基地局の直前に無線通信を確立していた基地局である場合、
前記携帯端末が特定のモードでなければ、前記第２の基地局からの前記特定信号の品質値に第２オフセット値を減算した第２品質補正値が前記第１品質補正値より高い期間が、前記継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを含むことを特徴とする制御方法。
【請求項１０】
複数の基地局のそれぞれから継続的に送信される特定信号を受信する受信部と、前記受信された特定信号の電波品質又は電界強度を示す品質値を測定する測定部と、前記受信された特定信号を送信している基地局の中で最も高い品質値の特定信号を送信している第１の基地局との無線通信を確立する通信制御部と、前記通信制御部が無線通信を過去に確立した基地局の履歴を記憶する記憶部と、前記第１の基地局から受信した特定信号の品質値に第１オフセット値を加算した第１品質補正値よりも高い品質値の特定信号を送信している第２の基地局を検出する制御部とを有し、前記基地局との無線通信を介してネットワークと接続する携帯端末の制御方法であって、前記制御部が、
前記第２の基地局が、前記記憶部に記憶された、前記第１の基地局の直前に無線通信を確立していた基地局でない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局が、前記記憶部に記憶された、前記第１の基地局の直前に無線通信を確立していた基地局である場合、
前記携帯端末が特定のモードでなければ、前記第２の基地局からの前記特定信号の品質値が前記第１品質補正値より高い期間が、前記継続期間にオフセット期間を加算した第２継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを含むことを特徴とする制御方法。
【請求項１１】
複数の基地局のそれぞれから継続的に送信される特定信号を受信する受信部と、前記受信された特定信号の電波品質又は電界強度を示す品質値を測定する測定部と、前記受信された特定信号を送信している基地局の中で最も高い品質値の特定信号を送信している第１の基地局との無線通信を確立する通信制御部と、前記通信制御部が無線通信を過去に確立した基地局の履歴を記憶する記憶部と、前記第１の基地局から受信した特定信号の品質値に第１オフセット値を加算した第１品質補正値よりも高い品質値の特定信号を送信している第２の基地局を検出する制御部とを有し、前記基地局との無線通信を介してネットワークと接続する携帯端末の制御プログラムであって、前記制御部に、
前記第２の基地局が、前記記憶部に記憶された、前記第１の基地局の直前に無線通信を確立していた基地局でない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局が、前記記憶部に記憶された、前記第１の基地局の直前に無線通信を確立していた基地局である場合、
前記携帯端末が特定のモードでなければ、前記第２の基地局からの前記特定信号の品質値に第２オフセット値を減算した第２品質補正値が前記第１品質補正値より高い期間が、前記継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを実行させる制御プログラム。
【請求項１２】
複数の基地局のそれぞれから継続的に送信される特定信号を受信する受信部と、前記受信された特定信号の電波品質又は電界強度を示す品質値を測定する測定部と、前記受信された特定信号を送信している基地局の中で最も高い品質値の特定信号を送信している第１の基地局との無線通信を確立する通信制御部と、前記通信制御部が無線通信を過去に確立した基地局の履歴を記憶する記憶部と、前記第１の基地局から受信した特定信号の品質値に第１オフセット値を加算した第１品質補正値よりも高い品質値の特定信号を送信している第２の基地局を検出する制御部とを有し、前記基地局との無線通信を介してネットワークと接続する携帯端末の制御プログラムであって、前記制御部に、
前記第２の基地局が、前記記憶部に記憶された、前記第１の基地局の直前に無線通信を確立していた基地局でない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、
前記第２の基地局が前記第１の基地局の直前に無線通信を確立していた基地局でないと判定された場合における基地局の切り替え回数が、所定時間において所定回数以上であると判定された場合、所定期間中、前記携帯端末を特定のモードに設定し、
前記第２の基地局が、前記記憶部に記憶された、前記第１の基地局の直前に無線通信を確立していた基地局である場合、
前記携帯端末が特定のモードでなければ、前記第２の基地局からの前記特定信号の品質値が前記第１品質補正値より高い期間が、前記継続期間にオフセット期間を加算した第２継続期間を超えたときに、前記第１の基地局との無線通信から前記第２の基地局との無線通信に切り替えるように前記通信制御部を制御し、
前記携帯端末が特定のモードであれば、前記第２の基地局からの前記特定信号の品質値が前記第１品質補正値より高い期間が、所定の継続期間を超えたときに、前記第１の基地局との無線通信から前記第２の基地局との無線通信に切り替えるように前記通信制御部を制御する、
ことを実行させる制御プログラム。
【発明の詳細な説明】
【技術分野】
【０００１】
本発明は、携帯端末、制御方法及び制御プログラムに関する。
【背景技術】
【０００２】
従来から、携帯端末は、複数の基地局のいずれかとの無線通信を確立してネットワークと接続する場合、基地局のサーチを実行し、受信品質又は受信電界が最も高い信号を送信している基地局を選択し、選択された基地局との無線通信を確立させることが知られている。携帯端末が基地局のセルの境界に位置する場合では、携帯端末から基地局までの距離が離れているため、携帯端末が受信する基地局からの電波が弱くなり、携帯端末は、ネットワークと接続することができない所謂「圏外」の状態となる。この場合、携帯端末を所有するユーザが、基地局からの電波を受信できる場所（所謂「圏内」となる場所）に移動することにより、携帯端末と基地局との間の無線通信を確立させることができる。
【０００３】
例えば、特許文献１には、所定の基地局がカバーするセルの境界に位置する無線通信端末を他の基地局にハンドオーバさせる通信システムにおいて、受信電力レベルの変動が小さい基地局に携帯端末を接続させることが記載されている。
【先行技術文献】
【特許文献】
【０００４】
【特許文献１】特開２０１０−８１５４３号公報
【発明の概要】
【発明が解決しようとする課題】
【０００５】
しかしながら、特許文献１に記載された通信システムでは、携帯端末が２つのセルのそれぞれの境界に位置する場合、同じ程度の電波品質の信号を送信する２つの基地局が存在するため、無線通信を確立する基地局の切り替えが頻繁に発生することがあった。また、携帯端末は、無線通信を確立する基地局の切り替え処理を行うと、携帯端末の消費電力を通常よりも多く消費するため、基地局の切り替えが頻繁に発生した場合、携帯端末の消費電力が浪費されてしまうという問題があった。また、無線通信を確立する基地局の切り替え処理を行うと、基地局切り替え前の着信を取りこぼすという問題があった。
【０００６】
本発明は、このような従来の課題を解決すべくなされたものであり、無線通信を確立する基地局の切り替え処理の発生を抑え、着信の取りこぼしを抑制するとともに携帯端末の消費電力の浪費を抑制することを可能とする携帯端末、制御方法及び制御プログラムを提供することを目的とする。
【課題を解決するための手段】
【０００７】
本発明に係る携帯端末は、複数の基地局のそれぞれとの無線通信によりネットワークと接続する携帯端末であって、各基地局から継続的に送信される特定信号を受信する受信部と、受信された特定信号の電波品質又は電界強度を示す品質値を測定する測定部と、受信された特定信号を送信している基地局の中で最も高い品質値の特定信号を送信している第１の基地局との無線通信を確立する通信制御部と、通信制御部が無線通信を過去に確立した基地局の履歴を記憶する記憶部と、第１の基地局から受信した特定信号の品質値に第１オフセット値を加算した第１品質補正値よりも高い品質値の特定信号を送信している第２の基地局を検出する制御部と、を有し、制御部は、第２の基地局が、記憶部に記憶された、第１の基地局の直前に無線通信を確立していた基地局でない場合、第２の基地局からの特定信号の品質値が第１品質補正値より高い期間が所定の継続期間を超えたときに、第１の基地局との無線通信から第２の基地局との無線通信に切り替えるように通信制御部を制御し、第２の基地局が、記憶部に記憶された、第１の基地局の直前に無線通信を確立していた基地局である場合、第２の基地局からの特定信号の品質値に第２オフセット値を減算した第２品質補正値が第１品質補正値より高い期間が、継続期間を超えたときに、第１の基地局との無線通信から第２の基地局との無線通信に切り替えるように通信制御部を制御する。
【０００８】
また、本発明に係る携帯端末において、制御部は、第２の基地局が第１の基地局の直前に無線通信を確立していた基地局であると判定された場合における基地局の切り替え回数に基づいて第２オフセット値を変更することが好ましい。
【０００９】
また、本発明に係る携帯端末において、制御部は、第２の基地局が第１の基地局の直前に無線通信を確立していた基地局でないと判定された場合における基地局の切り替え回数が、所定時間において所定回数以上であると判定された場合、所定期間中、携帯端末を特定のモードに設定し、携帯端末が特定のモードである場合、第２の基地局が第１の基地局の直前に無線通信を確立していた基地局であると判定された場合でも、第２の基地局からの特定信号の品質値が第１品質補正値より高い期間が、所定の継続期間を超えたときに、第１の基地局との無線通信から第２の基地局との無線通信に切り替えるように通信制御部を制御することが好ましい。
【００１０】
また、本発明に係る携帯端末において、携帯端末の現在位置を測定する位置測定部を更に有し、制御部は、測定された現在位置に基づいて携帯端末が移動していると判定した場合、所定期間中、携帯端末を特定のモードに設定し、携帯端末が特定のモードである場合、第２の基地局が第１の基地局の直前に無線通信を確立していた基地局であると判定された場合でも、第２の基地局からの特定信号の品質値が第１品質補正値より高い期間が、所定の継続期間を超えたときに、第１の基地局との無線通信から第２の基地局との無線通信に切り替えるように通信制御部を制御することが好ましい。
【００１１】
本発明に係る携帯端末は、複数の基地局のそれぞれとの無線通信によりネットワークと接続する携帯端末であって、各基地局から継続的に送信される特定信号を受信する受信部と、受信された特定信号の電波品質又は電界強度を示す品質値を測定する測定部と、受信された特定信号を送信している基地局の中で最も高い品質値の特定信号を送信している第１の基地局との無線通信を確立する通信制御部と、通信制御部が無線通信を過去に確立した基地局の履歴を記憶する記憶部と、第１の基地局から受信した特定信号の品質値に第１オフセット値を加算した第１品質補正値よりも高い品質値の特定信号を送信している第２の基地局を検出する制御部と、を有し、制御部は、第２の基地局が、記憶部に記憶された、第１の基地局の直前に無線通信を確立していた基地局でない場合、第２の基地局からの特定信号の品質値が第１品質補正値より高い期間が所定の継続期間を超えたときに、第１の基地局との無線通信から第２の基地局との無線通信に切り替えるように通信制御部を制御し、第２の基地局が、記憶部に記憶された、第１の基地局の直前に無線通信を確立していた基地局である場合、第２の基地局からの特定信号の品質値が第１品質補正値より高い期間が、継続期間にオフセット期間を加算した第２継続期間を超えたときに、第１の基地局との無線通信から第２の基地局との無線通信に切り替えるように通信制御部を制御する。
【００１２】
また、本発明に係る携帯端末において、制御部は、第２の基地局が第１の基地局の直前に無線通信を確立していた基地局であると判定された場合における基地局の切り替え回数に基づいてオフセット期間を変更することが好ましい。
【００１３】
また、本発明に係る携帯端末において、制御部は、第２の基地局が第１の基地局の直前に無線通信を確立していた基地局でないと判定された場合における基地局の切り替え回数が、所定時間において所定回数以上であると判定された場合、所定期間中、携帯端末を特定のモードに設定し、携帯端末が特定のモードである場合、第２の基地局が第１の基地局の直前に無線通信を確立していた基地局であると判定された場合でも、第２の基地局からの特定信号の品質値が第１品質補正値より高い期間が、所定の継続期間を超えたときに、第１の基地局との無線通信から第２の基地局との無線通信に切り替えるように通信制御部を制御するように通信制御部を制御することが好ましい。
【００１４】
また、本発明に係る携帯端末において、携帯端末の現在位置を測定する位置測定部を更に有し、制御部は、測定された現在位置に基づいて携帯端末が移動していると判定した場合、所定期間中、携帯端末を特定のモードに設定し、携帯端末が特定のモードである場合、第２の基地局が第１の基地局の直前に無線通信を確立していた基地局であると判定された場合でも、第２の基地局からの特定信号の品質値が第１品質補正値より高い期間が、所定の継続期間を超えたときに、第１の基地局との無線通信から第２の基地局との無線通信に切り替えるように通信制御部を制御することが好ましい。
【００１５】
本発明に係る携帯端末は、複数の基地局のそれぞれとの無線通信によりネットワークと接続する携帯端末であって、各基地局から継続的に送信される特定信号を受信する受信部と、前記受信された特定信号の電波品質又は電界強度を示す品質値を測定する測定部と、前記受信された特定信号を送信している基地局の中で最も高い品質値の特定信号を送信している第１の基地局との無線通信を確立する通信制御部と、前記通信制御部が無線通信を過去に確立した基地局に関連付けられた位置登録エリアの履歴を記憶する記憶部と、前記第１の基地局から受信した特定信号の品質値に第１オフセット値を加算した第１品質補正値よりも高い品質値の特定信号を送信している第２の基地局を検出する制御部と、を有し、前記制御部は、前記第２の基地局に関連付けられた位置登録エリアが、前記記憶部に記憶された、前記第１の基地局の直前に無線通信を確立していた基地局に関連付けられた位置登録エリアでない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、前記第２の基地局に関連付けられた位置登録エリアが、前記記憶部に記憶された、前記第１の基地局の直前に無線通信を確立していた基地局に関連付けられた位置登録エリアである場合、前記第２の基地局からの前記特定信号の品質値に第２オフセット値を減算した第２品質補正値が前記第１品質補正値より高い期間が、前記継続期間を超えたときに、前記第１の基地局との無線通信から前記第２の基地局との無線通信に切り替えるように前記通信制御部を制御する。
【００１６】
本発明に係る携帯端末は、複数の基地局のそれぞれとの無線通信によりネットワークと接続する携帯端末であって、各基地局から継続的に送信される特定信号を受信する受信部と、前記受信された特定信号の電波品質又は電界強度を示す品質値を測定する測定部と、前記受信された特定信号を送信している基地局の中で最も高い品質値の特定信号を送信している第１の基地局との無線通信を確立する通信制御部と、前記通信制御部が無線通信を過去に確立した基地局に関連付けられた位置登録エリアの履歴を記憶する記憶部と、前記第１の基地局から受信した特定信号の品質値に第１オフセット値を加算した第１品質補正値よりも高い品質値の特定信号を送信している第２の基地局を検出する制御部と、を有し、前記制御部は、前記第２の基地局に関連付けられた位置登録エリアが、前記記憶部に記憶された、前記第１の基地局の直前に無線通信を確立していた基地局に関連付けられた位置登録エリアでない場合、前記第２の基地局からの特定信号の品質値が前記第１品質補正値より高い期間が所定の継続期間を超えたときに、前記第１の基地局との無線通信から前記第２の基地局との無線通信に切り替えるように前記通信制御部を制御し、前記第２の基地局に関連付けられた位置登録エリアが、前記記憶部に記憶された、前記第１の基地局の直前に無線通信を確立していた基地局に関連付けられた位置登録エリアである場合、前記第２の基地局からの特定信号の品質値が前記第１品質補正値より高い期間が、前記継続期間にオフセット期間を加算した第２継続期間を超えたときに、前記第１の基地局との無線通信から前記第２の基地局との無線通信に切り替えるように前記通信制御部を制御する。
【００１７】
本発明に係る制御方法は、複数の基地局のそれぞれから継続的に送信される特定信号を受信する受信部と、受信された特定信号の電波品質又は電界強度を示す品質値を測定する測定部と、受信された特定信号を送信している基地局の中で最も高い品質値の特定信号を送信している第１の基地局との無線通信を確立する通信制御部と、通信制御部が無線通信を過去に確立した基地局の履歴を記憶する記憶部と、第１の基地局から受信した特定信号の品質値に第１オフセット値を加算した第１品質補正値よりも高い品質値の特定信号を送信している第２の基地局を検出する制御部とを有し、基地局との無線通信を介してネットワークと接続する携帯端末の制御方法であって、制御部が、第２の基地局が、記憶部に記憶された、第１の基地局の直前に無線通信を確立していた基地局でない場合、第２の基地局からの特定信号の品質値が第１品質補正値より高い期間が所定の継続期間を超えたときに、第１の基地局との無線通信から第２の基地局との無線通信に切り替えるように通信制御部を制御し、第２の基地局が、記憶部に記憶された、第１の基地局の直前に無線通信を確立していた基地局である場合、第２の基地局からの特定信号の品質値に第２オフセット値を減算した第２品質補正値が第１品質補正値より高い期間が、継続期間を超えたときに、第１の基地局との無線通信から第２の基地局との無線通信に切り替えるように通信制御部を制御する、ことを含む。
【００１８】
本発明に係る制御方法は、複数の基地局のそれぞれから継続的に送信される特定信号を受信する受信部と、受信された特定信号の電波品質又は電界強度を示す品質値を測定する測定部と、受信された特定信号を送信している基地局の中で最も高い品質値の特定信号を送信している第１の基地局との無線通信を確立する通信制御部と、通信制御部が無線通信を過去に確立した基地局の履歴を記憶する記憶部と、第１の基地局から受信した特定信号の品質値に第１オフセット値を加算した第１品質補正値よりも高い品質値の特定信号を送信している第２の基地局を検出する制御部とを有し、基地局との無線通信を介してネットワークと接続する携帯端末の制御方法であって、制御部が、第２の基地局が、記憶部に記憶された、第１の基地局の直前に無線通信を確立していた基地局でない場合、第２の基地局からの特定信号の品質値が第１品質補正値より高い期間が所定の継続期間を超えたときに、第１の基地局との無線通信から第２の基地局との無線通信に切り替えるように通信制御部を制御し、第２の基地局が、記憶部に記憶された、第１の基地局の直前に無線通信を確立していた基地局である場合、第２の基地局からの特定信号の品質値が第１品質補正値より高い期間が、継続期間にオフセット期間を加算した第２継続期間を超えたときに、第１の基地局との無線通信から第２の基地局との無線通信に切り替えるように通信制御部を制御する、ことを含む。
【００１９】
本発明に係る制御プログラムは、複数の基地局のそれぞれから継続的に送信される特定信号を受信する受信部と、受信された特定信号の電波品質又は電界強度を示す品質値を測定する測定部と、受信された特定信号を送信している基地局の中で最も高い品質値の特定信号を送信している第１の基地局との無線通信を確立する通信制御部と、通信制御部が無線通信を過去に確立した基地局の履歴を記憶する記憶部と、第１の基地局から受信した特定信号の品質値に第１オフセット値を加算した第１品質補正値よりも高い品質値の特定信号を送信している第２の基地局を検出する制御部とを有し、基地局との無線通信を介してネットワークと接続する携帯端末の制御プログラムであって、制御部に、第２の基地局が、記憶部に記憶された、第１の基地局の直前に無線通信を確立していた基地局でない場合、第２の基地局からの特定信号の品質値が第１品質補正値より高い期間が所定の継続期間を超えたときに、第１の基地局との無線通信から第２の基地局との無線通信に切り替えるように通信制御部を制御し、第２の基地局が、記憶部に記憶された、第１の基地局の直前に無線通信を確立していた基地局である場合、第２の基地局からの特定信号の品質値に第２オフセット値を減算した第２品質補正値が第１品質補正値より高い期間が、継続期間を超えたときに、第１の基地局との無線通信から第２の基地局との無線通信に切り替えるように通信制御部を制御する、ことを実行させる。
【００２０】
本発明に係る制御プログラムは、複数の基地局のそれぞれから継続的に送信される特定信号を受信する受信部と、受信された特定信号の電波品質又は電界強度を示す品質値を測定する測定部と、受信された特定信号を送信している基地局の中で最も高い品質値の特定信号を送信している第１の基地局との無線通信を確立する通信制御部と、通信制御部が無線通信を過去に確立した基地局の履歴を記憶する記憶部と、第１の基地局から受信した特定信号の品質値に第１オフセット値を加算した第１品質補正値よりも高い品質値の特定信号を送信している第２の基地局を検出する制御部とを有し、基地局との無線通信を介してネットワークと接続する携帯端末の制御プログラムであって、制御部に、第２の基地局が、記憶部に記憶された、第１の基地局の直前に無線通信を確立していた基地局でない場合、第２の基地局からの特定信号の品質値が第１品質補正値より高い期間が所定の継続期間を超えたときに、第１の基地局との無線通信から第２の基地局との無線通信に切り替えるように通信制御部を制御し、第２の基地局が、記憶部に記憶された、第１の基地局の直前に無線通信を確立していた基地局である場合、第２の基地局からの特定信号の品質値が第１品質補正値より高い期間が、継続期間にオフセット期間を加算した第２継続期間を超えたときに、第１の基地局との無線通信から第２の基地局との無線通信に切り替えるように通信制御部を制御する、ことを実行させる。
【発明の効果】
【００２１】
本発明に係る携帯端末、制御方法及び制御プログラムによって、無線通信を確立する基地局の切り替えに係る着信不可事象の解消及び携帯端末の消費電力の浪費の抑制が可能となる。
【図面の簡単な説明】
【００２２】
【図１】通信システム１の概略を説明するための模式図である。
【図２】通信システム１の概略構成の一例を示す図である。
【図３】携帯端末２の概略構成の一例を示す図である。
【図４】通信部２１の概略構成の一例を示す図である。
【図５】各種テーブルのデータ構造の一例を示す図である。
【図６】通信確立処理の一例を示すフローチャートである。
【図７】切り替え処理の一例を示すフローチャートである。
【図８】通信システム１の概略を説明するための模式図である。
【図９】切り替え処理の他の一例を示すフローチャートである。
【発明を実施するための形態】
【００２３】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２４】
（第１の実施形態）
通信システム１は、複数の基地局３のそれぞれとの無線通信によりネットワークと接続する複数の携帯端末２を有する。携帯端末２は、例えば、「スマートフォン」と呼ばれる多機能携帯電話機又はフィーチャーフォンと呼ばれる携帯電話機であるが、データ通信専用の機器であってもよく、当該データ通信専用の機器は、携帯型でも据え置き型でもよい。
【００２５】
図１は、通信システム１の概略を説明するための模式図である。
【００２６】
携帯端末２は、複数の基地局３のそれぞれから継続的に送信されるリファレンス信号を受信し、受信されたリファレンス信号の電波品質又は受信電界を測定する。リファレンス信号は、例えば、ＲＳ（Reference Signal）信号等の下り信号であり、特定信号の一例である。電波品質は、例えば、受信されたリファレンス信号の強度と携帯端末２によって検出されたノイズ強度とによって求められる値によって示される。なお、品質値は、電波品質を示す値、又は、リファレンス信号の強度すなわち受信した電界強度の値等である。
【００２７】
携帯端末２は、複数の基地局３のそれぞれからリファレンス信号を受信するたびに、受信されたリファレンス信号を送信している基地局の中で最も高い品質値のリファレンス信号を送信している基地局を判定する。携帯端末２は、判定された基地局との無線通信を確立する。なお、携帯端末２との無線通信を確立された、携帯端末２と接続中の基地局は、第１の基地局の一例であり、以降、確立基地局と称する場合がある。
【００２８】
携帯端末２は、基地局との無線通信を確立したときに、無線通信を確立した基地局すなわち確立基地局を識別するための基地局識別情報、接続開始日時等を記憶する。なお、基地局識別情報は、セルＩＤ（identification）等である。このように、携帯端末２は、無線通信を過去に確立した確立基地局の履歴を記憶する。
【００２９】
携帯端末２は、確立基地局との無線通信が確立され、確立基地局との接続が開始されると、確立基地局からリファレンス信号が送信されるたびに、送信されたリファレンス信号の品質値に第１オフセット値を加算した第１品質補正値を算出する。第１オフセット値は、例えば、３ＧＰＰ（Third Generation Partnership Project）の技術仕様書「TS 25.331」等によって規定される「Qhyst」又は「Q-offset」等のパラメータである。
【００３０】
携帯端末２は、複数の基地局３のそれぞれから継続的に送信されるリファレンス信号を受信するたびに、第１品質補正値よりも高い品質値のリファレンス信号を送信している基地局があるか否かを監視する。携帯端末２は、第１品質補正値よりも高い品質値のリファレンス信号を送信している基地局を検出した場合、切り替え処理を実行する。なお、検出された、第１品質補正値よりも高い品質値のリファレンス信号を送信している基地局は、第２の基地局の一例であり、以降、候補基地局と称する場合がある。
【００３１】
携帯端末２と基地局３ａとの無線通信の直前に、携帯端末２との無線通信を確立していた基地局が基地局３ｂでない場合における、基地局３ａとの無線通信から基地局３ｂとの無線通信への切り替え処理について、以下、図１の（Ａ）を参照して説明する。なお、基地局３ａは、携帯端末２との無線通信が確立された、携帯端末２と接続中の確立基地局である。また、基地局３ｂは、第１品質補正値よりも高い品質値のリファレンス信号を送信している候補基地局である。
【００３２】
携帯端末２は、基地局３ｂが、携帯端末２と基地局３ａとの無線通信の直前に、携帯端末２との無線通信を確立していた基地局ではないため、基地局３ｂからのリファレンス信号の品質値が第１品質補正値より高い期間を監視する。なお、基地局３ｂが、携帯端末２と基地局３ａとの無線通信の直前に、携帯端末２との無線通信を確立していた基地局であるか否かについての判定は、携帯端末２に記憶された基地局の履歴に基づいて行われる。
【００３３】
そして、携帯端末２は、基地局３ｂからのリファレンス信号の品質値が第１品質補正値より高い期間が所定の継続期間を超えたと判定したときに、基地局３ａとの無線通信から基地局３ｂとの無線通信に切り替える。なお、継続期間は、例えば、３ＧＰＰ（Third Generation Partnership Project）の技術仕様書「TS 25.331」等によって規定される「Treselection」等のパラメータである。
【００３４】
携帯端末２と基地局３ａとの無線通信の直前に、携帯端末２との無線通信を確立していた基地局が基地局３ｂである場合における、基地局３ａとの無線通信から基地局３ｂとの無線通信への切り替え処理について、以下、図１の（Ｂ）を参照して説明する。なお、図１の（Ａ）と同様に、基地局３ａは、携帯端末２との無線通信が確立された、携帯端末２と接続中の確立基地局である。また、基地局３ｂは、第１品質補正値よりも高い品質値のリファレンス信号を送信している候補基地局である。
【００３５】
基地局３ｂが、携帯端末２と基地局３ａとの無線通信の直前に、携帯端末２との無線通信を確立していた基地局であるため、携帯端末２は、まず、基地局３ｂからのリファレンス信号の品質値に第２オフセット値を減算した第２品質補正値を算出する。次に、携帯端末２は、第２品質補正値が第１品質補正値より高い期間を監視する。なお、第２オフセット値は、携帯端末２において予め記憶されたパラメータであるが、基地局３から継時的に送信されたパラメータであってもよい。
【００３６】
そして、携帯端末２は、第２品質補正値が第１品質補正値より高い期間が所定の継続期間を超えたと判定したときに、基地局３ａとの無線通信から基地局３ｂとの無線通信に切り替える。
【００３７】
上述のとおり、携帯端末２は、無線通信を確立している基地局３ａの直前に携帯端末２との無線通信を確立していた基地局３ｂと再び無線通信を確立する場合、基地局３ｂからのリファレンス信号の品質値を第２品質補正値に変更して切り替え処理を行う。これにより、無線通信を確立する基地局３ａ及び基地局３ｂの切り替え処理が頻発に発生することを制御することが可能となる。そして、携帯端末２において、着信の取りこぼしを抑制するとともに消費電力の浪費を抑制することが可能となる。
【００３８】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００３９】
（通信システム１の概略構成）
図２は、通信システム１の概略構成の一例を示す図である。
【００４０】
通信システム１は、複数のユーザのそれぞれが所有する複数の携帯端末２を有する。複数の携帯端末２のそれぞれは、例えば、基地局３（３ａ、３ｂ、・・・）、移動体通信網４、ゲートウェイ５を介して、インターネット等のネットワーク６に接続される。
【００４１】
（携帯端末２の概略構成）
図３は、携帯端末２の概略構成の一例を示す図である。
【００４２】
携帯端末２は、ネットワーク６への接続、基地局３のサーチ、所定のアプリケーションプログラムの実行等を可能とする。そのために、携帯端末２は、通信部２１と、記憶部２２と、操作部２３と、表示部２４と、処理部２５と、アンテナ部２６とを備える。
【００４３】
なお、携帯端末２としては多機能携帯電話（所謂「スマートフォン」）を想定するが、本発明はこれに限定されない。携帯端末２は、本発明が適用可能であればよく、例えば、携帯電話（所謂「フィーチャーフォン」）、携帯情報端末（Personal Digital Assistant, PDA）、携帯ゲーム機、タブレット端末、タブレットＰＣ、ノートＰＣ等でもよい。
【００４４】
通信部２１は、所定の周波数帯を感受帯域とするアンテナ部２６と接続する。通信部２１は、通信インターフェース回路を有し、携帯端末２をネットワーク６（図２）に接続する。通信部２１は、基地局３により割り当てられるチャネルを介して、基地局３との間でＣＤＭＡ（Code Division Multiple Access）方式等による無線信号回線を確立し、基地局３との間で通信を行う。なお、基地局３との間の通信方式は、ＣＤＭＡ方式に限定されず、Ｗ−ＣＤＭＡ（Wideband Code Division Multiple Access）方式、ＬＴＥ（Long Term Evolution）方式等の他の通信方式でもよい。また、基地局３との間の通信方式は、ＰＨＳ（Personal Handy-phone System）等の他の通信方式でもよい。そして、通信部２１は、基地局３から受信したデータを処理部２５に供給する。また、通信部２１は、処理部２５から供給されたデータを基地局３に送信する。なお、通信部２１の詳細については後述する。
【００４５】
記憶部２２は、例えば、半導体メモリを有する。記憶部２２は、処理部２５での処理に用いられるドライバプログラム、オペレーティングシステムプログラム、アプリケーションプログラム、データ等を記憶する。例えば、記憶部２２は、ドライバプログラムとして、通信部２１を制御する通信デバイスドライバプログラム、操作部２３を制御する入力デバイスドライバプログラム、表示部２４を制御する出力デバイスドライバプログラム等を記憶する。また、記憶部２２は、オペレーティングシステムプログラムとして、ＩＥＥＥ８０２．１１規格の無線通信方式を実行する接続制御プログラム、携帯電話の接続制御プログラム等を記憶する。また、記憶部２２は、アプリケーションプログラムとして、ウェブページの取得及び表示を行うウェブブラウザプログラム、電子メールの送信及び受信を行う電子メールプログラム等を記憶する。コンピュータプログラムは、例えばＳＤ（Secure Digital）カード等のコンピュータ読み取り可能な可搬型記録媒体から、公知のセットアッププログラム等を用いて記憶部２２にインストールされてもよい。また、記憶部２２は、データとして、第１オフセット値、第２オフセット値、継続期間、後述する確立基地局テーブル、第１品質補正値テーブル、及び、候補基地局テーブル等を記憶する。
【００４６】
操作部２３は、携帯端末２の操作が可能であればどのようなデバイスでもよく、例えば、タッチパネル式の入力装置、キーパッド等である。ユーザは、このデバイスを用いて、文字、数字等を入力することができる。操作部２３は、ユーザにより操作されると、その操作に対応する信号を発生する。発生した信号は、ユーザの指示として、処理部２５に入力される。
【００４７】
表示部２４は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２４は、処理部２５から供給される動画像データに応じた動画像、静止画像データに応じた静止画像等を表示する。
【００４８】
処理部２５は、一又は複数個のプロセッサ及びその周辺回路を有する。処理部２５は、携帯端末２の全体的な動作を統括的に制御するものであり、例えば、ＣＰＵ（Central Processing Unit）である。処理部２５は、携帯端末２の各種処理が記憶部２２に記憶されているプログラム及び操作部２３の操作からの出力等に応じて適切な手順で実行されるように、通信部２１、表示部２４等の動作を制御する。処理部２５は、記憶部２２に記憶されているプログラム（ドライバプログラム、オペレーティングシステムプログラム、アプリケーションプログラム等）に基づいて処理を実行する。また、処理部２５は、複数のプログラム（アプリケーションプログラム等）を並列に実行することができる。
【００４９】
処理部２５は、制御部２５１を有する。制御部２５１は、処理部２５が有するプロセッサ上で実行されるプログラムによって実装される機能モジュールである。あるいは、処理部２５が有するこれらの各部は、独立した集積回路、マイクロプロセッサ、又はファームウェアとして携帯端末２に実装されてもよい。
【００５０】
（通信部２１の概略構成）
図４は、通信部２１の概略構成の一例を示す図である。
【００５１】
通信部２１は、ネットワーク６への接続、基地局３からの信号の受信、及び基地局３への信号の送信を行う。そのために、通信部２１は、送受信部２１１と、測定部２１２と、通信制御部２１３とを備える。
【００５２】
送受信部２１１は、複数の基地局３のそれぞれから継続的に送信されるリファレンス信号を受信する。また、送受信部２１１は、通信制御部２１３を介して、処理部２５から受け取った音声又はデータのデジタル信号を、アンテナ部２６を介して基地局３に送信する。また、送受信部は、アンテナ部２６を介して基地局３から送信された音声又はデータのデジタル信号を受信し、受信したデジタル信号を処理部２５に渡す。なお、送受信部２１１は、受信部の一例である。
【００５３】
測定部２１２は、送受信部２１１によって受信されたリファレンス信号の品質値を測定する。例えば、測定部２１２は、複数の基地局３のそれぞれから継続的に送信されるリファレンス信号を受信するたびに、受信されたリファレンス信号の強度と携帯端末２によって検出されたノイズ強度とに基づいて、各基地局３によって送信されたリファレンス信号の品質値を測定する。なお、測定部２１２は、受信されたリファレンス信号の強度（電界強度）の値を、当該リファレンス信号の品質値として測定してもよい。測定部２１２は、測定された各基地局３によって送信されたリファレンス信号の品質値を通信制御部２１３に渡す。
【００５４】
通信制御部２１３は、送受信部２１１によって受信されたリファレンス信号を送信している基地局３の中で最も高い品質値の特定信号を送信している基地局３との無線通信を確立する。また、通信制御部２１３は、処理部２５から受け取った、基地局３への音声又はデータのデジタル信号を送受信部２１１に渡すとともに、送受信部２１１から受け取った基地局３からの音声又はデータのデジタル信号を処理部２５に渡す。
【００５５】
（携帯端末２の機能）
携帯端末２は、複数の基地局３の中のいずれかの基地局３との無線通信を確立し、ネットワークと接続する。以下、携帯端末２の通信機能について説明する。
【００５６】
図５は、各種テーブルのデータ構造の一例を示す図である。
【００５７】
図５（ａ）には、確立基地局テーブルが示されている。確立基地局テーブルには、各確立基地局について、確立セルＩＤ、周波数、開始日時等が互いに関連付けて記憶される。
【００５８】
確立セルＩＤは、確立基地局を識別するための基地局識別情報である。周波数には、携帯端末２と確立基地局との間で使用される信号の上り周波数、下り周波数、及びバンドが記憶される。また、開始日時は、携帯端末２と確立基地局との間で無線通信が確立した日時である。
【００５９】
図５（ｂ）には、第１品質補正値テーブルが示されている。第１品質補正値テーブルには、第１品質補正値、及び日時等が互いに関連付けて記憶される。
【００６０】
第１品質補正値は、確立基地局から送信されたリファレンス信号が受信されるたびに算出されるリファレンス信号の品質値に、第１オフセット値を加算した値である。日時は、第１品質補正値が算出された日時又はリファレンス信号を受信した日時である。
【００６１】
図５（ｃ）には、候補基地局テーブルが示されている。候補基地局テーブルには、各候補基地局について、候補セルＩＤ、電波品質、第２品質補正値等が互いに関連付けて記憶される。
【００６２】
候補セルＩＤは、候補基地局を識別するための基地局識別情報である。電波品質には、候補基地局から送信されたリファレンス信号が受信されるたびに記憶される、リファレンス信号の品質値と、リファレンス信号の受信日時が記憶される。第２品質補正値には、候補基地局から送信されたリファレンス信号が受信された際に第２品質補正値が算出された場合における、その算出された第２品質補正値と、リファレンス信号の受信日時が記憶される。
【００６３】
図６は、携帯端末２が有する通信部２１及び処理部２５による通信確立処理の一例を示すフローチャートである。通信確立処理は、携帯端末２が、既に確立基地局との無線通信が確立し、携帯端末２がネットワーク６とＲＲＣ（Radio Resource Control）接続している場合におけるＲＣＣの状態（state）が、特定の状態である場合に実行される。特定の状態は、ＵＲＡ−ＰＣＨ、Ｃｅｌｌ−ＰＣＨ、及びｉｄｌｅ（アイドル）等である。ＵＲＡ−ＰＣＨ及びＣｅｌｌ−ＰＣＨは、通信されるパケットデータが発生するまでスタンバイする状態である。ｉｄｌｅは、ＲＲＣ接続が切断された状態である。また、特定の状態は、接続している確立基地局からのリファレンス信号の品質値が所定値より低くなった状態でもよい。
【００６４】
最初に、送受信部２１１は、複数の基地局３のそれぞれから継続的に送信されるリファレンス信号を受信する（ステップＳ１０１）。
【００６５】
次に、測定部２１２は、送受信部２１１によってリファレンス信号が受信されるたびに、受信されたリファレンス信号の品質値を測定する（ステップＳ１０２）。次に、制御部２５１は、送受信部２１１によって受信されたリファレンス信号が、確立基地局によって送信されたリファレンス信号であるか否かを判定する（ステップＳ１０３）。
【００６６】
制御部２５１は、送受信部２１１によって受信されたリファレンス信号が確立基地局によって送信されたリファレンス信号であると判定した場合（ステップＳ１０３−Ｙｅｓ）、第１品質補正値を算出する（ステップＳ１０４）。第１品質補正値の算出では、制御部２５１は、記憶部２２に記憶された第１オフセット値を抽出し、測定部２１２によって測定されたリファレンス信号の品質値に、抽出された第１オフセット値を加算して第１品質補正値を算出する。
【００６７】
制御部２５１は、第１品質補正値を算出すると、算出された第１品質補正値を、第１品質補正値が算出された日時又はリファレンス信号を受信した日時に関連付けて、第１品質補正値テーブルに記憶し（ステップＳ１０５）、一連のステップを終了する。
【００６８】
制御部２５１は、送受信部２１１によって受信されたリファレンス信号が確立基地局によって送信されたリファレンス信号でないと判定した場合（ステップＳ１０３−Ｎｏ）、切り替え処理を実行し（ステップＳ１０６）、一連のステップを終了する。なお、切り替え処理の詳細は後述する。
【００６９】
図７は、携帯端末２が有する処理部２５の制御部２５１による切り替え処理の一例を示すフローチャートである。図７に示す切り替え処理は、図６のステップＳ１０６において実行される。
【００７０】
まず、制御部２５１は、送受信部２１１によってリファレンス信号が受信されるたびに、第１品質補正値テーブルに記憶された最新の第１品質補正値よりも高い品質値のリファレンス信号を送信している基地局があるか否かを監視する（ステップＳ２０１）。
【００７１】
制御部２５１は、最新の第１品質補正値よりも高い品質値のリファレンス信号を送信している候補基地局が検出されない場合（ステップＳ２０１−Ｎｏ）、一連のステップを終了する。
【００７２】
制御部２５１は、最新の第１品質補正値よりも高い品質値のリファレンス信号を送信している候補基地局が検出された場合（ステップＳ２０１−Ｙｅｓ）、候補基地局が直前に無線通信を確立していた基地局であるか否かを判定する（ステップＳ２０２）。すなわち、制御部２５１は、確立基地局テーブルを参照して、検出された候補基地局が、携帯端末２と確立基地局との無線通信の直前に、携帯端末２との無線通信を確立していたか否かを判定する。
【００７３】
制御部２５１は、候補基地局が直前に無線通信を確立していた基地局でないと判定した場合（ステップＳ２０２−Ｎｏ）、候補基地局が送信したリファレンス信号の品質値を、候補基地局テーブルに記憶する（ステップＳ２０３）。なお、制御部２５１は、品質値を候補基地局テーブルに記憶する際に、リファレンス信号の受信日時及び候補セルＩＤを、品質値に関連付けて候補基地局テーブルに記憶する。候補セルＩＤは、例えば、リファレンス信号に含まれるセルＩＤである。
【００７４】
次に、制御部２５１は、候補基地局テーブルに記憶された候補基地局の中で、候補基地局のリファレンス信号の品質値が、最新の第１品質補正値よりも高い期間を監視する。すなわち、制御部２５１は、候補基地局のリファレンス信号の品質値が、最新の第１品質補正値よりも高い期間が、記憶部２２に記憶された継続期間を超えたか否かを判定する（ステップＳ２０４）。
【００７５】
制御部２５１は、候補基地局のリファレンス信号の品質値が、最新の第１品質補正値よりも高い期間が継続期間を超えていないと判定された場合（ステップＳ２０４−Ｎｏ）、一連のステップを終了する。
【００７６】
制御部２５１は、候補基地局のリファレンス信号の品質値が、最新の第１品質補正値よりも高い期間が継続期間を超えたと判定された場合（ステップＳ２０４−Ｙｅｓ）、基地局の切り替え処理を実行する（ステップＳ２０５）。すなわち、制御部２５１は、通信制御部２１３に対して、確立基地局との無線通信の切断及び候補基地局の無線通信の確立を指示する。
【００７７】
次に、制御部２５１は、確立基地局テーブルに、無線通信を確立した候補基地局を、新たな確立基地局として、確立基地局との間で使用される信号の上り周波数、下り周波数、及びバンドとともに記憶し（ステップＳ２０６）、一連のステップを終了する。
【００７８】
制御部２５１は、候補基地局が直前に無線通信を確立していた基地局であると判定した場合（ステップＳ２０２−Ｙｅｓ）、第２品質補正値を算出する（ステップＳ２０７）。第２品質補正値の算出では、制御部２５１は、記憶部２２に記憶された第２オフセット値を抽出し、候補基地局によって送信されたリファレンス信号の品質値に、抽出された第２オフセット値を加算して第２品質補正値を算出する。
【００７９】
次に、制御部２５１は、算出した第２品質補正値を、第２品質補正値に係るリファレンス信号の受信日時及び候補セルＩＤに関連付けて候補基地局テーブルに記憶する（ステップＳ２０８）。
【００８０】
次に、制御部２５１は、候補基地局テーブルに記憶された、候補基地局のリファレンス信号の第２品質補正値が、最新の第１品質補正値よりも高い期間を監視する。すなわち、制御部２５１は、候補基地局のリファレンス信号の第２品質補正値が、最新の第１品質補正値よりも高い期間が、記憶部２２に記憶された継続期間を超えたか否かを判定する（ステップＳ２０９）。
【００８１】
制御部２５１は、候補基地局のリファレンス信号の第２品質補正値が、最新の第１品質補正値よりも高い期間が継続期間を超えていないと判定された場合（ステップＳ２０９−Ｎｏ）、一連のステップを終了する。
【００８２】
制御部２５１は、候補基地局のリファレンス信号の第２品質補正値が、最新の第１品質補正値よりも高い期間が継続期間を超えたと判定された場合（ステップＳ２０９−Ｙｅｓ）、基地局の切り替え処理を実行する（ステップＳ２０５）。すなわち、制御部２５１は、通信制御部２１３に対して、確立基地局との無線通信の切断及び候補基地局の無線通信の確立を指示する。
【００８３】
次に、制御部２５１は、確立基地局テーブルに、無線通信を確立した候補基地局を、新たな確立基地局として、確立基地局との間で使用される信号の上り周波数、下り周波数、及びバンドとともに記憶し（ステップＳ２０６）、一連のステップを終了する。
【００８４】
以上詳述したとおり、通信システム１は、確立基地局との無線通信の直前に携帯端末２との無線通信を確立していた基地局３と再び無線通信を確立する場合、当該基地局３からのリファレンス信号の品質値を第２品質補正値に変更して切り替え処理を行う。これにより、特定の２つの基地局間の切り替え処理が頻発に発生することを制御することが可能となる。そして、携帯端末２の消費電力の浪費を抑制することが可能となる。
【００８５】
（第２の実施形態）
携帯端末２の制御部２５１は、候補基地局が確立基地局の直前に無線通信を確立していた基地局であると判定された場合における基地局の切り替え回数に基づいて第２オフセット値を変更してもよい。すなわち、制御部２５１は、図７のステップＳ２０９において、候補基地局のリファレンス信号の第２品質補正値が、最新の第１品質補正値よりも高い期間が継続期間を超えたと判定された場合、ステップＳ２０６において第２オフセット値の変更処理を実行する。
【００８６】
例えば、ステップＳ２０６において、制御部２５１は、記憶部２２に記憶された第２オフセット値を抽出し、抽出した第２オフセット値に所定値を加算し、加算された第２オフセット値を記憶部２２に記憶する。これにより、特定の２つの基地局間の切り替え処理が発生する頻度に応じて、第２オフセット値が増大するため、特定の２つの基地局間の切り替え処理の発生を抑制することが可能となる。
【００８７】
（第３の実施形態）
携帯端末２の制御部２５１は、携帯端末が特定のモードである場合、候補基地局が確立基地局の直前に無線通信を確立していた基地局であると判定された場合でも、第２品質補正値の算出を行わないようにしてもよい。すなわち、制御部２５１は、携帯端末が特定のモードである場合、図７のステップＳ２０２において、候補基地局が確立基地局の直前に無線通信を確立していた基地局であるか否かの判定を行わず、ステップＳ２０３に処理を進める。
【００８８】
例えば、特定のモードは、候補基地局が確立基地局の直前に無線通信を確立していた基地局でないと判定された場合における無線通信を確立した基地局の切り替え回数が、所定時間において所定回数以上であると判定された場合に、所定期間中、設定される。このような場合では、携帯端末２は、複数の基地局３がカバーするセルを移動している可能性が高く、上述の特定モードの設定により、スムーズな基地局の切り替えを行うことが可能となる。
【００８９】
（第４の実施形態）
上述した特定のモードは、測定された携帯端末２の現在位置に基づいて携帯端末２が移動していると判定された場合に、所定期間中、設定されてもよい。この場合、携帯端末２は、携帯端末２の現在位置を測定するＧＰＳ信号受信装置等の位置測定部を更に有し、測定された現在位置に基づいて算出された携帯端末２の移動速度に基づいて、制御部２５１は、携帯端末２が移動中か否かを判定する。これにより、移動中の携帯端末２の基地局の切り替えがスムーズに行われることが可能となる。
【００９０】
（第５の実施形態）
図８は、第５の実施形態における通信システム１の概略を説明するための模式図である。
【００９１】
携帯端末２と基地局３ａとの無線通信の直前に、携帯端末２との無線通信を確立していた基地局が基地局３ｂである場合における、基地局３ａとの無線通信から基地局３ｂとの無線通信への切り替え処理の他の例について、以下、図８を参照して説明する。なお、図１と同様に、基地局３ａは、携帯端末２との無線通信が確立された、携帯端末２と接続中の基地局である。また、基地局３ｂは、第１品質補正値よりも高い品質値のリファレンス信号を送信している候補基地局である。
【００９２】
基地局３ｂが、携帯端末２と基地局３ａとの無線通信の直前に、携帯端末２との無線通信を確立していた基地局であるため、携帯端末２は、まず、所定の期間にオフセット期間を加算した第２継続期間を算出する。次に、携帯端末２は、基地局３ｂからのリファレンス信号の品質値が第１品質補正値より高い期間を監視する。なお、オフセット期間は、携帯端末２において予め記憶されたパラメータであるが、基地局３から継時的に送信されたパラメータであってもよい。
【００９３】
そして、携帯端末２は、基地局３ｂからのリファレンス信号の品質値が第１品質補正値より高い期間が第２継続期間を超えたと判定したときに、基地局３ａとの無線通信から基地局３ｂとの無線通信に切り替える。
【００９４】
上述のとおり、携帯端末２は、無線通信を確立している基地局３ａの直前に携帯端末２との無線通信を確立していた基地局３ｂと再び無線通信を確立する場合、所定期間を第２所定期間に変更して切り替え処理を行う。これにより、これにより、特定の２つの基地局間の切り替え処理が頻発に発生することを制御することが可能となる。そして、携帯端末２の消費電力の浪費を抑制することが可能となる。
【００９５】
図９は、第５の実施形態における制御部２５１による切り替え処理の一例を示すフローチャートである。なお、第５の実施形態における通信確立処理は、図６と同じであり、図９に示す切り替え処理は、図６のステップＳ１０６において実行される。
【００９６】
図９において、図７と同じ処理内容のステップについては同じ符号を付し、その説明を省略する。なお、携帯端末２の記憶部２２は、オフセット期間を更に記憶する。
【００９７】
制御部２５１は、候補基地局が直前に無線通信を確立していた基地局であると判定した場合（ステップＳ２０２−Ｙｅｓ）、第２継続期間を算出する（ステップＳ２０７１）。第２継続期間の算出では、制御部２５１は、記憶部２２に記憶された継続期間及びオフセット期間を抽出し、抽出された継続期間に、抽出されたオフセット期間を加算して第２継続期間を算出する。
【００９８】
次に、制御部２５１は、候補基地局が送信したリファレンス信号の品質値を、候補基地局テーブルに記憶する（ステップＳ２０８１）。なお、制御部２５１は、品質値を候補基地局テーブルに記憶する際に、品質値に関連付けてリファレンス信号の受信日時及び候補セルＩＤを候補基地局テーブルに記憶する。
【００９９】
次に、制御部２５１は、候補基地局テーブルに記憶された、候補基地局のリファレンス信号の品質値が、最新の第１品質補正値よりも高い期間を監視する。すなわち、制御部２５１は、候補基地局のリファレンス信号の品質値が、最新の第１品質補正値よりも高い期間が、記憶部２２に記憶された第２継続期間を超えたか否かを判定する（ステップＳ２０９１）。
【０１００】
以上詳述したとおり、通信システム１は、確立基地局との無線通信の直前に携帯端末２との無線通信を確立していた基地局３と再び無線通信を確立する場合、所定の継続期間を第２継続期間に変更して切り替え処理を行う。これにより、特定の２つの基地局間の切り替え処理が頻発に発生することを制御することが可能となる。そして、携帯端末２の消費電力の浪費を抑制することが可能となる。
【０１０１】
（第６の実施形態）
携帯端末２の制御部２５１は、候補基地局が確立基地局の直前に無線通信を確立していた基地局であると判定された場合における基地局の切り替え回数に基づいてオフセット期間を変更してもよい。すなわち、制御部２５１は、図９のステップＳ２０９１において、候補基地局のリファレンス信号の品質値が、最新の第１品質補正値よりも高い期間が第２継続期間を超えたと判定された場合、ステップＳ２０６においてオフセット期間の変更処理を実行する。
【０１０２】
例えば、ステップＳ２０６において、制御部２５１は、記憶部２２に記憶されたオフセット期間を抽出し、抽出したオフセット期間に所定期間を加算し、加算されたオフセット期間を記憶部２２に記憶する。これにより、特定の２つの基地局間の切り替え処理が発生する頻度に応じて、オフセット期間が増大するため、特定の２つの基地局間の切り替え処理の発生を抑制することが可能となる。
【０１０３】
（第７の実施形態）
携帯端末２の制御部２５１は、携帯端末が特定のモードである場合、候補基地局が確立基地局の直前に無線通信を確立していた基地局であると判定された場合でも、第２継続期間の算出を行わないようにしてもよい。すなわち、制御部２５１は、携帯端末が特定のモードである場合、図９のステップＳ２０２において、候補基地局が確立基地局の直前に無線通信を確立していた基地局であるか否かの判定を行わず、ステップＳ２０３に処理を進める。
【０１０４】
例えば、特定のモードは、候補基地局が確立基地局の直前に無線通信を確立していた基地局でないと判定された場合における無線通信を確立した基地局の切り替え回数が、所定時間において所定回数以上であると判定された場合に、所定期間中、設定される。このような場合では、携帯端末２は、複数の基地局３がカバーするセルを移動している可能性が高く、上述の特定モードの設定により、スムーズな基地局の切り替えを行うことが可能となる。
【０１０５】
（第８の実施形態）
上述した特定のモードは、測定された携帯端末２の現在位置に基づいて携帯端末２が移動していると判定された場合に、所定期間中、設定されてもよい。この場合、携帯端末２は、携帯端末２の現在位置を測定するＧＰＳ信号受信装置等の位置測定部を更に有し、測定された現在位置に基づいて算出された携帯端末２の移動速度に基づいて、制御部２５１は、携帯端末２が移動中か否かを判定する。これにより、移動中の携帯端末２の基地局の切り替えがスムーズに行われることが可能となる。
【０１０６】
（第９の実施形態）
上述した第１の実施形態から第８の実施形態における切り替え処理は、位置登録エリアの切り替えを伴う基地局の切り替え時に限り実行されてもよい。なお、位置登録エリアは、例えば、３ＧＰＰの技術仕様書「TS 23.003」等によって規定されるロケーションエリア（Location Area）等である。位置登録エリアは、所定数の隣接する基地局３に対応付けられる位置コードであり、所定の携帯端末２が着呼した場合、位置登録エリア単位で一斉呼出が行われる。
【０１０７】
第９の実施形態では、確立基地局テーブルの各確立基地局について、さらに位置登録エリアを示す位置コードが関連付けて記憶される。また、候補基地局テーブルの各候補基地局について、さらに位置登録エリアを示す位置コードが関連付けて記憶される。
【０１０８】
第９の実施形態では、図７及び図９のステップＳ２０２において、制御部２５１は、候補基地局に位置登録エリアを示す位置コードが直前に無線通信を確立していた基地局の位置登録エリアを示す位置コードと同一であるか否かを判定する。また、図７及び図９のステップＳ２０６において、制御部２５１は、確立基地局テーブルに、無線通信を確立した候補基地局を、新たな確立基地局として、候補基地局の位置登録エリアを示す位置コードとともに記憶する。
【０１０９】
これにより、位置登録エリアの切り替え処理の発生を抑制することが可能となるとともに、携帯端末２の消費電力の浪費を抑制することが可能となる。また、携帯端末２が、位置登録エリアの切り替えに伴う、ＨＬＲ（Home Location Register）に対する現在位置の登録処理を抑制することができ、ネットワークの負荷を軽減することが可能となる。
【０１１０】
当業者は、本発明の精神及び範囲から外れることなく、様々な変更、置換、及び修正をこれに加えることが可能であることを理解されたい。
【符号の説明】
【０１１１】
１    通信システム
２    携帯端末
２１    通信部
２１１    送受信部
２１２    測定部
２１３    通信制御部
２２    記憶部
２３    操作部
２４    表示部
２５    処理部
２５１    制御部
３，３ａ，３ｂ    基地局
４    移動体通信網
５    ゲートウェイ
６    ネットワーク
【図１】
0006279655.tif 000002
【図２】
0006279655.tif 000003
【図３】
0006279655.tif 000004
【図４】
0006279655.tif 000005
【図５】
0006279655.tif 000006
【図６】
0006279655.tif 000007
【図７】
0006279655.tif 000008
【図８】
0006279655.tif 000009
【図９】
0006279655.tif 000010